(57)【特許請求の範囲】
【請求項１】
第１のサブバンドについて、一のセクタについての第１のサブキャリア群に、複数のミッドアンブルトーンを送信するための複数のアンテナを割り当てる段階と、
前記一のセクタについての次のサブキャリア群に対して前記割り当てる段階を、一のサブバンド内の複数のサブキャリアの最後に到達するまで、繰り返し実行する段階と、
前記複数のミッドアンブルトーンを送信するための前記複数のアンテナの順序を、グループ内で異なる配列にローテーションさせる段階と、
前記割り当てる段階、前記繰り返し実行する段階、及び前記ローテーションさせる段階を、１以上の他のサブバンドについて繰り返す段階と
を備える方法。
【請求項２】
前記割り当てる段階は、３単位再利用方式に従って実行される請求項１に記載の方法。
【請求項３】
前記割り当てる段階は、１単位再利用方式に従って実行される請求項１に記載の方法。
【請求項４】
ピーク対平均電力比特性を比較的低くするべく、前記複数のサブキャリアのうち１以上のサブキャリアを変調する段階をさらに備える請求項１から３の何れか１項に記載の方法。
【請求項５】
偏相互相関を比較的小さくするべく、前記複数のサブキャリアのうち１以上のサブキャリアを変調する段階をさらに備える請求項１から４の何れか１項に記載の方法。
【請求項６】
前記複数のサブキャリアのうち１以上のサブキャリアをゴーレイシーケンスで変調する段階をさらに備える請求項１から５の何れか１項に記載の方法。
【請求項７】
送信するべく、２以上のサブバンドを含むダウンリンクサブフレームを用意する段階と、
前記ダウンリンクサブフレームに組み込むべく１以上のミッドアンブルを生成する段階と、
前記１以上のミッドアンブルを変調する段階と、
前記１以上のミッドアンブルを前記ダウンリンクサブフレームに組み込む段階と、
前記１以上のミッドアンブルを含む前記ダウンリンクサブフレームを受信機に送信する段階と
を備え、
前記生成する段階は、前記２以上のサブバンドについて、各々のサブバンド毎にアンテナ毎のミッドアンブルトーンの順序をローテーションさせる段階を有する方法。
【請求項８】
前記変調する段階は、ゴーレイシーケンスを適用して前記１以上のミッドアンブルの１以上のサブキャリアを変調する段階を有する請求項７に記載の方法。
【請求項９】
前記生成する段階は、３単位再利用方式を前記１以上のミッドアンブルに適用する段階を有する請求項７または８に記載の方法。
【請求項１０】
前記生成する段階は、１単位再利用方式を前記１以上のミッドアンブルに適用する段階を有する請求項７または８に記載の方法。
【請求項１１】
前記変調する段階は、ピーク対平均電力比特性を比較的低くするべく前記１以上のミッドアンブルの１以上のサブキャリアを変調する段階を有する請求項７から１０の何れか１項に記載の方法。
【請求項１２】
前記変調する段階は、偏相互相関を比較的小さくするべく、前記１以上のミッドアンブルの１以上のサブキャリアを変調する段階を有する請求項７から１１の何れか１項に記載の方法。
【請求項１３】
２以上のサブバンドを含むダウンリンクサブフレームを送信する送受信機と、
前記ダウンリンクサブフレームについて１以上のミッドアンブルを生成するプロセッサと
を備え、
前記プロセッサは、
前記２以上のサブバンドについて、各々のサブバンド毎にアンテナ毎のミッドアンブルトーンの順序をローテーションさせ、
前記１以上のミッドアンブルを変調し、
前記１以上のミッドアンブルを前記ダウンリンクサブフレームに組み込む装置。
【請求項１４】
前記プロセッサは、ゴーレイシーケンスを適用して、前記１以上のミッドアンブルの１以上のサブキャリアを変調する請求項１３に記載の装置。
【請求項１５】
前記プロセッサは、３単位再利用方式を前記１以上のミッドアンブルに適用する請求項１３または１４に記載の装置。
【請求項１６】
前記プロセッサは、１単位再利用方式を前記１以上のミッドアンブルに適用する請求項１３または１４に記載の装置。
【請求項１７】
前記プロセッサは、ピーク対平均電力比特性を比較的低くするべく前記１以上のミッドアンブルの１以上のサブキャリアを変調する請求項１３から１６の何れか１項に記載の装置。
【請求項１８】
前記プロセッサは、偏相互相関を比較的小さくするべく前記１以上のミッドアンブルの１以上のサブキャリアを変調する請求項１３から１７の何れか１項に記載の装置。
【請求項１９】
ダウンリンクサブフレームを送信する送受信機と、
前記ダウンリンクサブフレームについて１以上のミッドアンブルを生成するプロセッサと
を備え、
前記プロセッサは、
第１のサブバンドについて、一のセクタについての第１のサブキャリア群に、複数のミッドアンブルトーンを送信するための複数のアンテナを割り当てて、
一のサブバンド内の複数のサブキャリアの最後に到達するまで、前記複数のアンテナの割り当てを前記一のセクタについての次のサブキャリア群に対して繰り返し実行し、
前記複数のミッドアンブルトーンを送信するための前記複数のアンテナの順序を、グループ内で異なる配列にローテーションさせ、
前記複数のアンテナを割り当てること、前記一のセクタについての次のサブキャリア群に対して繰り返し実行すること、及び前記ローテーションさせることを、１以上の他のサブバンドについて繰り返す装置。
【請求項２０】
前記プロセッサは、３単位再利用方式に従って、前記複数のアンテナを割り当てる請求項１９に記載の装置。
【請求項２１】
前記プロセッサは、１単位再利用方式に従って、前記複数のアンテナを割り当てる請求項１９に記載の装置。
【請求項２２】
前記プロセッサはさらに、ピーク対平均電力比特性を比較的低くするべく、前記複数のサブキャリアのうち１以上のサブキャリアを変調する請求項１９から２１の何れか１項に記載の装置。
【請求項２３】
前記プロセッサはさらに、偏相互相関を比較的小さくするべく、前記複数のサブキャリアのうち１以上のサブキャリアを変調する請求項１９から２２の何れか１項に記載の装置。
【請求項２４】
前記プロセッサはさらに、前記複数のサブキャリアのうち１以上のサブキャリアをゴーレイシーケンスで変調する請求項１９から２３の何れか１項に記載の装置。
【請求項２５】
２以上のサブバンドを含むダウンリンクサブフレームを送信する送受信機と、
前記ダウンリンクサブフレームについて１以上のミッドアンブルを生成するプロセッサと
を備え、
前記プロセッサは、
前記２以上のサブバンドについて、各々のサブバンド毎にアンテナ毎のミッドアンブルトーンの順序をローテーションさせ、
前記１以上のミッドアンブルを変調し、
前記１以上のミッドアンブルを前記ダウンリンクサブフレームに組み込み、
前記プロセッサは、ゴーレイシーケンスを適用して前記１以上のミッドアンブルの１以上のサブキャリアを変調する基地局。
【請求項２６】
前記プロセッサは、３単位再利用方式を前記１以上のミッドアンブルに適用する請求項２５に記載の基地局。
【請求項２７】
前記プロセッサは、１単位再利用方式を前記１以上のミッドアンブルに適用する請求項２５に記載の基地局。
【請求項２８】
前記プロセッサは、ピーク対平均電力比特性を比較的低くするべく前記１以上のミッドアンブルの１以上のサブキャリアを変調する請求項２５から２７の何れか１項に記載の基地局。
【請求項２９】
前記プロセッサは、偏相互相関を比較的小さくするべく、前記１以上のミッドアンブルの１以上のサブキャリアを変調する請求項２５から２８の何れか１項に記載の基地局。
【請求項３０】
ダウンリンクサブフレームを送信する送受信機と、
前記ダウンリンクサブフレームについて１以上のミッドアンブルを生成するプロセッサと
を備え、
前記プロセッサは、
第１のサブバンドについて、一のセクタについての第１のサブキャリア群に、複数のミッドアンブルトーンを送信するための複数のアンテナを割り当てて、
一のサブバンド内の複数のサブキャリアの最後に到達するまで、前記複数のアンテナの割り当てを、前記一のセクタについての次のサブキャリア群に対して繰り返し実行し、
前記複数のミッドアンブルトーンを送信するための前記複数のアンテナの順序を、グループ内で異なる配列にローテーションさせ、
前記複数のアンテナを割り当てること、前記一のセクタについての次のサブキャリア群に対して繰り返し実行すること、及び前記ローテーションさせることを、１以上の他のサブバンドについて繰り返し、
前記プロセッサは、３単位再利用方式に従って、前記複数のアンテナを割り当てる基地局。
【請求項３１】
前記プロセッサは、前記３単位再利用方式に代えて１単位再利用方式に従って、前記複数のアンテナを割り当てる請求項３０に記載の基地局。
【請求項３２】
前記プロセッサはさらに、ピーク対平均電力比特性を比較的低くするべく、前記複数のサブキャリアのうち１以上のサブキャリアを変調する請求項３０または３１に記載の基地局。
【請求項３３】
前記プロセッサはさらに、偏相互相関を比較的小さくするべく、前記複数のサブキャリアのうち１以上のサブキャリアを変調する請求項３０から３２の何れか１項に記載の基地局。
【請求項３４】
前記プロセッサはさらに、前記複数のサブキャリアのうち１以上のサブキャリアをゴーレイシーケンスで変調する請求項３０から３３の何れか１項に記載の基地局。
【発明の詳細な説明】
【背景技術】
【０００１】
無線通信システムでは、閉ループダウンリンクの多入力および／または多出力（ＭＩＭＯ）動作の効率化を図るべく、プリコーディングマトリクスインデックス（ＰＭＩ）およびチャネル品質指標（ＣＱＩ）の正確な推定が移動局（ＭＳ）または加入局（ＳＳ）で行われる。ＭＩＭＯ動作を容易にするべく、ダウンリンクサブフレームではミッドアンブルが用いられるとしてよい。ＭＩＭＯミッドアンブルは、閉ループＭＩＭＯシステムにおいてＰＭＩ選択およびＣＱＩ算出に利用されるとしてよく、開ループＭＩＭＯシステムではＣＱＩを算出するために用いられるとしてよい。
【図面の簡単な説明】
【０００２】
請求の対象となる主題について、明細書の結論部分において具体的に指摘すると共に明確に請求する。しかし、このような主題は以下に記載する詳細な説明と共に添付図面を参照することによって理解され得る。添付図面は以下の通りである。
【０００３】
【図１】１以上の実施形態に応じた、ミッドアンブルを用いてダウンリンクサブフレームで送信可能な通信システムを示すブロック図である。
【０００４】
【図２】１以上の実施形態に応じた、１以上のミッドアンブルを組み込むダウンリンクサブフレーム構造を示す図である。
【０００５】
【図３】１以上の実施形態に応じた、３単位再利用方式を説明するためのサブキャリアトーン割り当てを示す図である。
【０００６】
【図４】１以上の実施形態に応じた、１単位再利用方式を説明するためのサブキャリアトーン割り当てを示す図である。
【０００７】
【図５】１以上の実施形態に応じた、サブバンド毎のトーンローテーションを説明するためのサブキャリアトーン割り当てを示す図である。
【０００８】
【図６】１以上の実施形態に応じた、ダウンリンクサブフレーム用のミッドアンブルを生成する方法を示すフローチャートである。
【０００９】
【図７】１以上の実施形態に応じた、ダウンリンクサブフレームにおいてミッドアンブルを用いる無線ネットワークを示すブロック図である。
【００１０】
【図８】１以上の実施形態に応じた、ミッドアンブルを含むダウンリンクサブフレームを送受信可能な情報処理システムを示すブロック図である。
【００１１】
図を簡単および／または明確にするべく、図面に図示している構成要素は必ずしも実寸に即したものではないと考えられたい。例えば、一部の構成要素の寸法は、分かりやすいように、他の構成要素に比べて誇張している場合がある。さらに、適切だと考えられれば、複数の図面にわたって対応する構成要素および／または同様の構成要素には同じ参照番号を用いている。
【発明を実施するための形態】
【００１２】
以下に記載する詳細な説明では、請求の対象となる主題を完全に理解していただくべく具体的且つ詳細な内容を数多く記載する。しかし、当業者におかれては、請求の対象となる主題は以下に記載する具体的且つ詳細な内容以外でも実施し得るものと理解されたい。また、公知の方法、手順、構成要素および／または回路については、詳細な説明は省略している。
【００１３】
以下に記載する説明および／または請求項では、「結合」および／または「接続」といった用語を利用することがある。具体的な実施形態では、「接続」という用語は、２以上の構成要素が直接、物理的および／または電気的に接触していることを意味する場合に用いられるとしてよい。「結合」という用語は、２以上の構成要素が直接、物理的および／または電気的に接触していることを意味するとしてよい。しかし、「結合」という用語はさらに、２以上の構成要素が直接接触していないが、互いに協働および／または相互作用する場合も意味するとしてよい。例えば、「結合」という用語は、２以上の構成要素が互いに接触していないが、別の構成要素または中間構成要素を介して間接的に組み合わせられていることを意味するとしてよい。最後に、以下に記載する説明および請求項では、「〜上」、「〜に重なる」、および「〜の上方に」という用語を用いる場合がある。「〜上」、「〜に重なる」、および「〜の上方に」という用語は、２以上の構成要素が互いに直接物理的に接触していることを意味するとしてよい。しかし、「〜の上方に」という用語は、２以上の構成要素が互いに直接接触していないことも意味するとしてよい。例えば、「〜の上方に」という用語は、ある構成要素が別の構成要素の上方にあるが、互いに接触しておらず、これら２つの構成要素の間に１または複数の別の構成要素が設けられていることを意味するとしてよい。さらに、「および／または」という表現は、「および」を意味するとしてよく、「または」を意味するとしてよく、「排他的論理和」を意味するとしてよく、「一の」を意味するとしてよく、「一部しかし全てではない」を意味するとしてよく、「どちらも〜でない」を意味するとしてよく、および／または、「両方」を意味するとしてよいが、請求の対象となる主題の範囲はこれに限定されない。以下に記載する説明および／または請求項では、「備える」、「有する」、「含む」といった表現を用いる場合があり、互いに同義語として用いている。
【００１４】
以下では図１を参照しつつ、１以上の実施形態に係るミッドアンブルを用いたダウンリンクサブフレームの送信が可能な通信システムのブロック図を説明する。図１の通信システム１００に示すように、基地局１１０等の送信デバイスが、加入局１１４等の受信デバイスにダウンリンクサブフレーム１１８を送信する。１以上の実施形態によると、多入力多出力（ＭＩＭＯ）動作を実施するべく、基地局１１０は、１以上のアンテナ１１２を有しているとしてよく、および／または、加入局１１６は１以上のアンテナ１１６を有しているとしてよい。例えば、基地局１１０は、４つの送信器および４つの送信アンテナ１１２を有しているとしてよく、同様に４つの受信器および４つの受信アンテナ１１６を有している加入局１１４に信号を送信するとしてよい。一般的に、ダウンリンクサブフレーム１１８は、ＭＩＭＯおよび直交周波数分割多重化（ＯＦＤＭ）を利用して送信されるとしてよいが、請求の対象となる主題の範囲はこれに限定されるものではない。１以上の別の実施形態では、基地局１１０は、単一入力および単一出力（ＳＩＳＯ）動作、単一入力および多出力（ＳＩＭＯ）動作、および／または、多入力および単一出力（ＭＩＳＯ）動作を用いて加入局１１４と通信するとしてよいが、請求の対象となる主題の範囲はこれに限定されるものではない。基地局１１０は、多くのネットワークの例のうち１つとして、例えば、ワールドワイド・インターオペラビリティ・フォー・マイクロウェーブ・アクセス（ＷｉＭＡＸ）ネットワークまたはセルラー方式ネットワークにおいて、所与の１つのセルの１以上のセクタに対してサービスを提供するべく、一のセルの一のセクタ内に配設されているとしてよい。ミッドアンブルを持つダウンリンクサブフレームを用いた無線ネットワークの例は、図７に図示すると共に、図７を参照しつつ後述する。例えば、一のセルには、１２０度毎に配置された３つの同一セル内基地局１１０があるとしてよく、基地局１１０はそれぞれ、当該セルの３分の１を構成する対応するセクタに対してサービスを提供する。基地局、セクタおよび／またはセルの構成は他の構成も同様に可能であってよく、請求の対象となる主題の範囲はこれに限定されるものではない。１以上の実施形態によると、ダウンリンクサブフレーム１１８は、図２に図示すると共に図２を参照しつつ後述するように、１以上のミッドアンブルを利用するとしてよい。
【００１５】
以下では図２を参照しつつ、１以上の実施形態に係る１以上のミッドアンブルを組み込んだダウンリンクサブフレーム構造の図を説明する。１以上の実施形態では、ダウンリンクサブフレーム１１８は、プリアンブル２１０、ヘッダ２１２、および、１以上のデータバースト２１４を含み、ダウンリンクサブフレーム１１８毎に最高Ｎ個のデータバースト２１４を含む。データバースト２１４は、ダウンリンクサブフレーム１１８で送信すべきデータの１以上のシンボルを含むとしてよい。変調レートは、送信すべきデータ量および／またはチャネル品質等、幾つかの要因にしたがってデータバースト２１４毎に異なるとしてよい。データバースト２１４が比較的長い場合、１以上のミッドアンブル２１６は、例えば、ＭＩＭＯ処理のために、基地局１１０と加入局１１４との間の同期を取りやすくするために、ならびに／または、プリコーディングマトリクス（ＰＭＩ）および／あるいはチャネル品質指標（ＣＱＩ）の推定を容易にするために、各データバースト２１４の前に配置されるとしてよい。１以上の実施形態によると、一のフレームが、１以上のダウンリンク（ＤＬ）サブフレームおよび／または１以上のアップリンク（ＵＬ）サブフレームを含む複数のサブフレームを有しており、各サブフレームは、１以上の直交周波数分割多重アクセス（ＯＦＤＭＡ）シンボルを含む。１以上の実施形態によると、１つのミッドアンブルが、一のフレームが持つ複数のダウンリンクサブフレームのうちの１つで送信されるとしてよく、または、これに代えて、１以上のミッドアンブルが、一のフレームが持つ複数のダウンリンクサブフレームのうちの１以上で送信されるとしてよく、請求の対象となる主題の範囲はこれに限定されるものではない。
【００１６】
以下では図３を参照しつつ、１以上の実施形態に係る３単位再利用方式を説明するためのサブキャリアトーン割り当てを示す図を説明する。図３に示すように、３単位再利用方式３１０では、セクタＳ１、セクタＳ２およびセクタＳ３の３つのセクタにおいて周波数直交方式で複数のミッドアンブルトーンを共有する。３単位再利用方式３１０では、一例として、４つの送信アンテナが利用されるが、利用するアンテナの数は任意であってよく、請求の対象となる主題の範囲はこれに限定されるものではない。１セクタ毎に４つのトーンを利用するので、例えば、セクタＳ１ではトーン３１２、３１４、３１６および３１６を利用するので、１セルが有する３つのセクタについては、実質的なデシメーションファクタは図３に示す例では１２である。しかし、セクタの数および／またはセクタ毎のトーンの数は他の数値であってよく、請求の対象となる主題の範囲はこれに限定されるものではない。セクタＳ１に示すように、トーン３１２、３１４、３１６および３１８に割り当てられている数値である１、２、３および４は、セクタＳ１にサービスを提供している基地局ＢＳ１の４つの送信アンテナのうち、アンテナ１、アンテナ２、アンテナ３およびアンテナ４のミッドアンブルトーンが当該トーンに対応することを意味している。セクタＳ２およびセクタＳ３に示すようにアンテナ番号を含んでいないトーンは、ヌルトーンを表しており、他のセクタにサービスを提供している他の基地局ＢＳ２およびＢＳ３は、それぞれ対応するミッドアンブルを送信しているとしてよい。３単位再利用方式３１０では、基地局ＢＳ１用のミッドアンブルトーンを、トーン３２０、３２２、３２４、および３２６で再度送信する。
【００１７】
以下では図４を参照しつつ、１以上の実施形態に係る１単位再利用方式を説明するためのサブキャリアトーン割り当てを示す図を説明する。図４に示すように、１単位再利用方式４１０は、図３に示した３単位再利用方式３１０と同様であるが、以下の点で相違する。１単位再利用方式４１０では、各アンテナのミッドアンブルトーンは全て、または、略全てが、一の特定のセクタに割り当てられており、アンテナ１、２、３および４のミッドアンブルは、トーン４１０、４１２、４１６および４１８で送信され、次の後続のセクタＳ２のトーン４２０、４２２、４２４および４２６で再度送信され、同様に続く。この結果、一の基地局から送信されるミッドアンブルトーンが１以上の近隣の基地局が送信するミッドアンブルトーンと衝突する可能性があるが、直交性によってこのような緩衝が抑制されるとしてよい。尚、請求の対象となる主題の範囲はこれに限定されるものではない。
【００１８】
以下では図５を参照しつつ、１以上の実施形態に係るサブバンドに基づくトーンローテーションを説明するためのサブキャリアトーン割り当てを示す図を説明する。図５に示すように、複数の異なるアンテナのミッドアンブルトーンは、サブバンド毎にローテーションさせる。本例では、４つのアンテナが設けられている。一実施形態例によると、各サブバンドは、７２個の連続したサブキャリアを含むとしてよい。例えば、サブバンド１については、配置方式５１０に示すように、アンテナ１、２、３および４のミッドアンブルがそれぞれ、サブキャリア１、２、３および４に対応するとしてよい。３単位再利用方式を利用して、アンテナ１、２、３および４のミッドアンブルはそれぞれ、サブキャリア１５、１６、１７および１８に対応し、このパターンは７２番目のサブキャリアまで繰り返されるとしてよい。そして、７３番目のサブキャリアはサブバンド２の先頭に来るとしてよい。図５に示す配置方式５１２では、第１のトーンローテーションは、アンテナ１、２、３および４のミッドアンブルがそれぞれサブキャリア７４、７５、７６および７３に対応するように、実行されるとしてよい。同様に、サブバンド２では、アンテナ１、２、３および４のアンテナのミッドアンブルがそれぞれ、サブキャリア８６、８７、８８および８５に対応するとしてよく、このパターンが１４４番目のサブキャリアまで繰り返されるとしてよい。ミッドアンブルトーンをサブバンド毎にローテーションさせる方式は同様に、サブバンド３でも続き、図５に示す配置方式５１４では、アンテナ１、２、３および４のミッドアンブルがそれぞれサブキャリア１４７、１４８、１４５および１４６に対応するとしてよい。同様に、アンテナ１、２、３および４のミッドアンブルはそれぞれ、サブキャリア１５９、１６０、１５７および１５８に対応するとしてよい。このため、各サブキャリアにミッドアンブルトーンを割り当てるパターン、および、連続する複数のサブバンドについてミッドアンブルトーンをローテーションさせるパターンは、サブキャリア全ておよび／またはサブバンド全てにミッドアンブルトーンが割り当てられるまで、続くとしてよい。この後、図６を参照しつつ後述するように、送信のためにサブキャリアを変調するとしてよい。
【００１９】
以下では図６を参照しつつ、１以上の実施形態に係るダウンリンクサブフレームのミッドアンブルを生成する方法のフローチャートを説明する。図６は、一例として方法６００を構成する複数のブロックの順序として特定の順序を１つ挙げているが、方法６００のブロックは他にもさまざまな順序で並べられるとしてよく、方法６００は図示しているよりも多いまたは少ないブロックを含むとしてよく、請求の対象となる主題の範囲はこれに限定されるものではない。１以上の実施形態によると、ブロック６１０において、基地局１１０等の送信デバイスが送信するためのダウンリンクサブフレーム１１８を用意するとしてよい。ブロック６１２において、Ｎ個の送信アンテナを第１のサブバンドにおける一のセクタのためのサブキャリアトーンのうち最初のＮ個のサブキャリアトーンに割り当てるとしてよい。ブロック６１４において、これらＮ個のアンテナは、当該セクタのためのサブキャリアトーンのうち次のＮ個のサブキャリアトーンに割り当てられる。例えば、４つのアンテナを利用する３単位再利用方式３１０の場合には、基地局１１０の次のＮ個のサブキャリアは、１３番目、１４番目、１５番目および１６番目のサブキャリアであるとしてよい。ブロック６１６において他にもサブキャリアがあると判断される場合、ブロック６１４を繰り返すことによって次のサブキャリアについてもこのパターンを繰り返し、Ｎ個のアンテナのためのミッドアンブルトーンが全て各サブキャリアに割り当てられるまで続けられる。そして、ブロック６１８において他にもサブバンドがあると判断される場合、ブロック６２０において、Ｎ個のアンテナについてのミッドアンブルトーンをそれぞれにサブキャリアに割り当てる際に、次のサブバンドについてはミッドアンブルトーンをローテーションさせるとしてよい。このプロセスは、全てのサブバンドの全てのサブキャリアにＮ個のアンテナのミッドアンブルトーンが割り当てられるまで続けられるとしてよい。そして、ブロック６２２において、ミッドアンブルサブキャリアを変調するとしてよい。ブロック６２４においてミッドアンブルをダウンリンクサブフレーム１１８に挿入するとしてよく、ブロック６２６においてミッドアンブルを含むダウンリンクサブフレーム１１８を送信するとしてよい。
【００２０】
１以上の実施形態によると、ミッドアンブルシーケンスは、ピーク対平均電力比（ＰＡＰＲ）特性が低くなるように選択されるとしてよい。１単位再利用方式４１０を利用する１以上の実施形態では、より小さい偏相互相関のシーケンスを利用するとしてよい。１以上の実施形態では、ゴーレイ（Ｇｏｌａｙ）シーケンスを用いた変調をミッドアンブル２１６に適用するとしてよく、ゴーレイシーケンスは、ＰＡＰＲを低くするという条件および偏相互相関が小さいシーケンスという条件をどちらも満たすことができる。１以上の実施形態によると、ＭＩＭＯミッドアンブルは、フレーム毎に最後から２番目のダウンリンクサブフレームにおいて送信される。ミッドアンブル信号は、ダウンリンク（ＤＬ）のタイプ１またはタイプ２のサブフレームにおいて先頭の直交周波数分割多重アクセス（ＯＦＤＭＡ）シンボルを占有するとしてよい。タイプ１のサブフレームの場合、残りの５つの連続したシンボルは、タイプ３のサブフレームを形成するとしてよい。タイプ２のサブフレームの場合、残りの６つの連続したシンボルは、タイプ１のサブフレームを形成する。基地局（ＢＳ）の１以上のアンテナによって送信されるＭＩＭＯミッドアンブル信号は、以下のように定義されるとしてよい。
【数１】
0005150786.tif 000002
式中、ｂｋは、ミッドアンブル信号におけるサブキャリアを変調する複素係数である。１以上の実施形態によると、３単位再利用方式３１０のｂｋは、以下のように表されるとしてよい。
【数２】
0005150786.tif 000003
１単位再利用方式４１０では、ｂｋは以下のように表されるとしてよい。
【数３】
0005150786.tif 000004
式中、ｋは、サブキャリアインデックスであり（０≦ｋ≦Ｎｕｓｅｄ−１）、Ｎｕｓｅｄは、ミッドアンブルシンボルにおいて利用可能なサブキャリアの数であり、Ｇ（ｘ）は下記の表１に定めるＰＡＰＲが低いＧｏｌａｙシーケンスであり（０≦ｘ≦２０４７）であり、ｆｆｔは、利用される高速フーリエ変換（ＦＦＴ）のサイズであり、ｕは、ＩＤｃｅｌｌ／Ｓｅｇｍｅｎｔであり（０≦ｕ≦２５５）、ｏｆｆｓｅｔＤ（ｆｆｔ）は、下記の表２に定めるＦＦＴサイズに特有のオフセットであり、Ｎｔは、送信（Ｔｘ）アンテナの数であり、ｇは、アンテナインデックスであり（０≦ｇ≦Ｎｔ−１）であり、Ｎ１＊Ｎｓｃ＝４＊１８であり、Ｎ１は、サブバンド毎の物理リソースユニット（ＰＲＵ）の数であり、Ｎｓｃは、ＰＲＵ毎のサブキャリアの数であり、ｋ≦（Ｎｕｓｅｄ−１）／２について、ｓ＝０であり、ｋ＞（Ｎｕｓｅｄ−１）／２について、ｓ＝１である。
【表１】
0005150786.tif 000005
【表２】
0005150786.tif 000006
係数ｂｋに関する上記の式では、値ｋに対する要件が式の右側に記載されているように満たされれば、ｂｋ係数のゴーレイシーケンス値に応じてミッドアンブルサブキャリアが変調される。満たされない場合には、ミッドアンブルサブキャリアは変調されない。値ｕは、セルの識別（ＩＤ）番号を表しており、図示している例では１２８個のセルがあって、各セルについて変調が異なるとしてよい。表２に示している所与のＦＦＴサイズについてのオフセットは、それぞれ図３および図４に示すような３単位再利用方式３１０および１単位再利用方式４１０の場合の係数ｂｋに関する上記の式におけるｏｆｆｓｅｔＤ（ｆｆｔ）の値に対応する。オフセット値は、時間領域波形のピーク対平均電力比を低減または最小限に抑えるべく、時間領域波形を最適化または略最適化するためのシミュレーションによって選択した。しかし、他のＦＦＴサイズおよび／または他のオフセット値も同様に利用され得るものと留意されたく、請求の対象となる主題の範囲はこれに限定されるものではない。１以上の実施形態によると、ＭＩＭＯミッドアンブル２１６は、例えば、約＋２ｄＢにわたってさらに増幅することによって上昇後のレベルで送信するとしてよいが、請求の対象となる主題の範囲はこれに限定されるものではない。
【００２１】
以下では図７を参照しつつ、１以上の実施形態に係るダウンリンクサブフレームでミッドアンブルを利用した無線ネットワークのブロック図を説明する。図７に示すように、ネットワーク７００は、インターネット７１０に対してモバイル無線アクセスおよび／または固定無線アクセスをサポート可能なインターネット７１０型のネットワーク等を含むインターネットプロトコル（ＩＰ）型のネットワークであってよい。１以上の実施形態によると、ネットワーク７００は、ワールドワイド・インターオペラビリティ・フォー・マイクロウェーブ・アクセス（ＷｉＭＡＸ）規格または今後開発される世代のＷｉＭＡＸに準拠したネットワークであるとしてよく、一の特定の実施形態によると、米国電気電子学会（ＩＥＥＥ）８０２．１６ｍ規格に準拠したネットワークであってよい。１以上の別の実施形態では、ネットワーク７００は、第３世代パートナーシッププロジェクト・ロングタームエボリューション（３ＧＰＰ  ＬＴＥ）規格または３ＧＰＰ２エアインターフェースエボリューション（３ＧＰＰ２  ＡＩＥ）規格に準拠したネットワークであってよい。一般的に、ネットワーク７００は、任意の種類の直交周波数分割多重アクセス（ＯＦＤＭＡ）を利用した無線ネットワークを含むとしてよく、請求の対象となる主題の範囲はこれに限定されるものではない。モバイル無線アクセスの例として、アクセス・サービス・ネットワーク（ＡＳＮ）ゲートウェイ７１２またはルータは、加入局（ＳＳ）７１６とインターネット７１０との間の無線通信を行うべく、基地局（ＢＳ）７１４と結合可能である。加入局７１６は、ネットワーク７００を介して無線通信を行うことが可能なモバイル型のデバイスまたは情報処理システム、例えば、ノート型コンピュータ、携帯電話、携帯情報端末等を含むとしてよい。１以上の実施形態によると、基地局７１４および加入局７１６はそれぞれ、１以上のミッドアンブル２１６を含むダウンリンクサブフレーム１１８を送信することによって、基地局１１０および加入局１１４として図１の通信システム１００を実現するとしてよい。ＡＳＮゲートウェイ７１２は、ネットワーク７００上の１以上の物理的エンティティに対するネットワーク機能のマッピングを定義可能なプロフィールを実現するとしてよい。基地局７１４は、加入局７１６との間で無線周波数（ＲＦ）通信を実行するための無線機器を含むとしてよく、例えば、ＩＥＥＥ８０２．１６ｍ等の規格に準拠した物理層（ＰＨＹ）機器およびメディアアクセス制御（ＭＡＣ）層機器を含むとしてよい。基地局７１４はさらに、ＡＳＮゲートウェイ７１２を介してインターネット７１０と接続するためのインターネットプロトコル（ＩＰ）バックプレーンを含むとしてよいが、請求の対象となる主題の範囲はこれに限定されるものではない。
【００２２】
ネットワーク７００はさらに、１以上のネットワーク機能を提供可能なビジタコネクティビティ・サービス・ネットワーク（ＣＳＮ）７２４を含むとしてよい。ネットワーク機能としては、これらに限定されないが、プロキシ型および／あるいはリレー型の機能、例えば、認証・認可・アカウンティング（ＡＡＡ）機能、ダイナミックホストコンフィグレーションプロトコル（ＤＨＣＰ）機能あるいはドメイン名サービス制御等、公衆電話交換回線網（ＰＳＴＮ）ゲートウェイあるいはボイス・オーバー・インターネット・プロトコル（ＶＯＩＰ）ゲートウェイ等のドメインゲートウェイ、ならびに／または、インターネットプロトコル（ＩＰ）型のサーバ機能等が含まれる。しかし、これらはビジタＣＳＮ７２４またはホームＣＳＮ７２６が提供可能な機能の種類の例に過ぎず、請求の対象となる主題の範囲はこれに限定されるものではない。ビジタＣＳＮ７２４は、例えば、ビジタＣＳＮ７２４が加入局７１６の通常のサービスプロバイダの一部でない場合に、例えば、加入局７１６がホームＣＳＮ７２６等のホームＣＳＮから離れてローミング中の場合、または、例えば、ネットワーク７００が加入局の通常のサービスプロバイダの一部であるがネットワーク７００が、加入局７１６の主要な位置またはホーム位置ではない別の位置または州にある場合、ビジタＣＳＮと呼ばれることもある。固定無線方式の場合、ＷｉＭＡＸ型の顧客構内設備（ＣＰＥ）７２２は、基地局７１４、ＡＳＮゲートウェイ７１２およびビジタＣＳＮ７２４を介した加入局７１６によるアクセスと同様の方法で、基地局７２０、ＡＳＮゲートウェイ７１８およびホームＣＳＮ７２６を介して、家庭または職場でのインターネット７１０へのブロードバンドアクセスを顧客に提供するべく家庭または職場に配置されるとしてよい。相違点は、ＷｉＭＡＸ  ＣＰＥ７２２は、必要に応じて別の箇所に移動させるとしてよいが通常は固定位置に配設される一方、加入局７１６は例えば基地局７１４の範囲内にいれば１以上の箇所で利用され得る点である。１以上の実施形態において、基地局７２０および顧客構内設備７２２はそれぞれ、１以上のミッドアンブル２１６を含むダウンリンクサブフレーム１１８を送信することによって、基地局１１０および加入局１１４として図１の通信システム１００を実現するとしてよい。１以上の実施形態によると、オペレーションサポートシステム（ＯＳＳ）７２８は、ネットワーク７００に対して管理機能を提供すると共にネットワーク７００の機能エンティティ間のインターフェースを提供するためのネットワーク７００の一部であってよい。図７のネットワーク７００は、無線ネットワークのうちある１種類に過ぎず、ネットワーク７００の所定数の構成要素を図示している。しかし、請求の対象となる主題の範囲はこれに限定されるものではない。
【００２３】
以下では図８を参照しつつ、１以上の実施形態に係るミッドアンブルを含むダウンリンクサブフレームを送受信可能な情報処理システムのブロック図を説明する。図８の情報処理システム８００は、図１の通信システム１００および／または図７に図示すると共に図７を参照しつつ説明したネットワーク７００のネットワーク素子のうち任意の１以上を有形に具現化するとしてよい。例えば、情報処理システム８００は、図１の基地局１１０および／または加入局１１４、または、図７の基地局７１４および／または加入局７１６のハードウェアの少なくとも一部を表しているとしてよく、構成要素の数は特定のデバイス素子またはネットワーク素子のハードウェア仕様に応じて図示した構成要素から増減するとしてよい。情報処理システム８００は、複数種類あるコンピューティングプラットフォームの一例を表しているが、情報処理システム８００は、図８に図示した構成要素に比べて、構成要素の数を増減するとしてよく、および／または、配置を変更するとしてよく、請求の対象となる主題の範囲はこれに限定されるものではない。
【００２４】
情報処理システム８００は、プロセッサ８１０および／またはプロセッサ８１２等の１以上のプロセッサを備えるとしてよい。プロセッサ８１０および／またはプロセッサ８１２は、１以上のプロセッシングコアを有するとしてよい。プロセッサ８１０および／またはプロセッサ８１２のうち１以上は、メモリブリッジ８１４を介して１以上のメモリ８１６および／または８１８に結合されているとしてよい。メモリブリッジ８１４は、プロセッサ８１０および／またはプロセッサ８１２の外部に設けられているとしてよく、または、これに代えて、プロセッサ８１０および／またはプロセッサ８１２のうち１以上に少なくとも部分的に配設されているとしてよい。メモリ８１６および／またはメモリ８１８は、さまざまな種類の半導体ベースのメモリ、例えば、揮発性メモリおよび／または不揮発性メモリを含むとしてよい。メモリブリッジ８１４は、情報処理システム８００に結合されている表示デバイス（不図示）を駆動するためのグラフィクスシステム８２０に結合されているとしてよい。
【００２５】
情報処理システム８００はさらに、さまざまな種類のＩ／Ｏシステムに結合される入出力（Ｉ／Ｏ）ブリッジ８２２を含むとしてよい。Ｉ／Ｏシステム８２４は、１以上の周辺機器を情報処理システム８００に結合させるべく、例えば、ユニバーサルシリアルバス（ＵＳＢ）型のシステム、ＩＥＥＥ１３９４型のシステム等を含むとしてよい。バスシステム８２６は、１以上の周辺機器を情報処理システム８００に結合するための、ペリフェラル・コンポーネント・インターコネクト（ＰＣＩ）エクスプレス型のバス等の１以上のバスシステムを含むとしてよい。ハードディスクドライブ（ＨＤＤ）コントローラシステム８２８は、１以上のハードディスクドライブ等を情報処理システムに結合するとしてよく、例えば、シリアルＡＴＡ型のドライブ等、または、これに代えて、フラッシュメモリ、位相変化メモリおよび／またはカルゴゲナイド型のメモリ等を含む半導体をベースとするドライブを結合するとしてよい。スイッチ８３０は、切り替えて選択した１以上のデバイス、例えば、ギガビットイーサネット（登録商標）型のデバイス等をＩ／Ｏブリッジ８２２に結合するために用いられるとしてよい。また、図８に示すように、情報処理システム８００は、他の無線通信デバイスとの間で、および／または、情報処理システム８００が、例えば、基地局７１４および／または加入局７１６を具現化している図７のネットワーク７００等の無線ネットワークを介して、無線通信を行うためのＲＦ回路およびＲＦデバイスで構成される無線周波数（ＲＦ）ブロック８３２を含むとしてよいが、請求の対象となる主題の範囲はこれに限定されるものではない。１以上の実施形態では、ＲＦブロック８３２は無線送受信機を含むとしてよく、プロセッサ８１０および／またはプロセッサ８１２は、当該送受信機のデジタル機能を実行するとしてよい。そのようなデジタル機能としては、ベースバンド信号および／または直交信号の処理等が含まれるとしてよい。しかし、請求の対象となる主題の範囲はこれに限定されるものではない。
【００２６】
請求の対象となる主題をある程度具体的に説明してきたが、その構成要素は、請求の対象となる主題の意図および／または範囲から逸脱することなく当業者によって変更され得るものと認められたい。無線ネットワーク用のミッドアンブルおよび／またはそれに付随する有用性の多くに関する主題は、上記の説明によって理解されるであろうと考えている。そして、請求の対象となる主題の範囲および／または意図から逸脱することなく、または、請求の対象となる主題の重要な利点をいずれも犠牲にすることなく、および／または、さらに請求の対象となる主題を大きく変更することなく、請求の対象となる主題の構成要素の形態、構造および／または配列をさまざまな点で変更し得ることは明らかである。本明細書に上述した形態は、説明のための実施形態に過ぎない。請求項は、そのような変更もカバーおよび／または包含するものとする。
【図１】
0005150786.tif 000007
【図２】
0005150786.tif 000008
【図３】
0005150786.tif 000009
【図４】
0005150786.tif 000010
【図５】
0005150786.tif 000011
【図６】
0005150786.tif 000012
【図７】
0005150786.tif 000013
【図８】
0005150786.tif 000014